(57)【要約】【課題】包装体を開封し、縫合針を引き出すことにより、そのまま手術を実施できる手術用縫合セットを提供する。【解決手段】針元部１３に弾機孔又は普通孔で形成された縫合糸挿通孔２０を有する縫合針１と、挿通孔２０に挿通して設けた縫合糸３と、保持用台紙４と、袋状に形成されて台紙４を包装する包装体５とを備える。台紙４は一側縁に糸巻き付け部４１を有する第１のパネル４２と、このパネルの他側縁に沿って折り曲げ可能に連接した第２のパネル４４とを有し、縫合針は第１のパネルの一方の面に挿し止めして保持され、縫合糸は糸巻き付け部に巻き付けて第１のパネルで保持されている。台紙は、第２のパネルを第１のパネルの一方の面側に折り畳まれて包装体内に収容され、密封して包装され、これを滅菌処理して構成する。【選択図】図１
0003158465.tif 000002
【実用新案登録請求の範囲】
【請求項１】
針本体の胴部の一端側に形成された針先部と、前記胴部の他端側に形成された針元部とを有し、前記針元部に弾機孔で形成された縫合糸挿通孔を有する縫合針と、
前記縫合糸挿通孔に挿通して設けた所望長さの縫合糸と、
略四角形の台紙で形成され、一側縁部近に沿わせて前記縫合糸を巻き付ける糸巻き付け部を有する保持用の第１のパネルと、このパネルの他側縁に沿って折り曲げ可能に連接され、前記パネルの一方の面側に折り畳んで前記パネルの前記一方の面の所望の部位を被覆する被覆用の第２のパネルとを有する保持用台紙と、
袋状に形成されて前記保持用台紙を包装する包装体とを備え、
前記縫合針は、前記針元部側を前記第１のパネルの前記一方の面における前記糸巻き付け部側の近くの部位に位置させると共に前記針先部側を前記一方の面の前記他側縁方向側の部位に位置させて前記縫合針を前記第１のパネルを貫通させて前記胴部の所望の部位を前記第１のパネルの他方の面に表出して前記第１のパネルで保持され、
前記縫合糸は前記糸巻き付け部に巻き付けて前記第１のパネルで保持され、
前記縫合針及び縫合糸を前記第１のパネルで保持させた前記保持用台紙は、前記第２のパネルを前記第１のパネルの前記一方の面側に折り畳まれて前記包装体内に収容され、密封して包装されていると共に滅菌処理されて構成さている、
ことを特徴とする、手術用縫合セット。
【請求項２】
針本体の胴部の一端側に形成された針先部と、前記胴部の他端側に形成された針元部とを有し、前記針元部に普通孔で形成された縫合糸挿通孔を有する縫合針と、
前記縫合糸挿通孔に挿通して設けた所望長さの縫合糸と、
略四角形の台紙で形成され、一側縁部近に沿わせて前記縫合糸を巻き付ける糸巻き付け部を有する保持用の第１のパネルと、このパネルの他側縁に沿って折り曲げ可能に連接され、前記パネルの一方の面側に折り畳んで前記パネルの前記一方の面の所望の部位を被覆する被覆用の第２のパネルとを有する保持用台紙と、
袋状に形成されて前記保持用台紙を包装する包装体とを備え、
前記縫合針は、前記針元部側を前記第１のパネルの前記一方の面における前記糸巻き付け部側の近くの部位に位置させると共に前記針先部側を前記一方の面の前記他側縁方向側の部位に位置させて前記縫合針を前記第１のパネルを貫通させて前記胴部の所望の部位を前記第１のパネルの他方の面に表出して前記第１のパネルで保持され、
前記縫合糸は前記糸巻き付け部に巻き付けて前記第１のパネルで保持され、
前記縫合針及び縫合糸を前記第１のパネルで保持させた前記保持用台紙は、前記第２のパネルを前記第１のパネルの前記一方の面側に折り畳まれて前記包装体内に収容され、密封して包装されていると共に滅菌処理されて構成さている、
ことを特徴とする、手術用縫合セット。
【請求項３】
前記第１のパネルは、前記糸巻き付け部の上縁又は下縁に設けた縫合糸係合用の切欠き凹部を有していることを特徴とする、請求項１又は２に記載の手術用縫合セット。
【請求項４】
前記第１のパネルは、前記糸巻き付け部の上縁及び下縁の両方に設けた糸係合用の切欠き凹部を有していることを特徴とする、請求項１又は２に記載の手術用縫合セット。
【請求項５】
前記第２のパネルは、前記第１のパネルの前記一方の面の前記他側縁から前記糸巻き付け部の近くまでの部位を被覆させる大きさに形成されていることを特徴とする、請求項１又は２に記載の手術用縫合セット。
【請求項６】
１本の前記縫合針と、この縫合針の縫合糸挿通孔に挿通して設けた１本の前記縫合糸とを備え、前記縫合針は前記第１のパネルの前記一方の面の略中央部に位置させて前記第１のパネルで保持されていることを特徴とする、請求項１又は２に記載の手術用縫合セット。
【請求項７】
複数本の前記縫合針と、前記縫合針と同数本の前記縫合糸とを備え、前記各縫合糸は前記各縫合針の縫合糸挿通孔にそれぞれ１本づつ挿通して設けられ、前記各縫合針は前記第１のパネルの前記一方の面に、前記第１のパネルの上下方向に所望の間隔を存して並べて前記第１のパネルで保持されていると共に前記各縫合糸は前記糸巻き付け部に巻き付けて前記第１のパネルで保持されていることを特徴とする、請求項１又は２に記載の手術用縫合セット。
【請求項８】
請求項７に記載の手術用縫合セットにおいて、前記各縫合針は同一サイズの縫合針で構成されていることを特徴とする手術用縫合セット。
【請求項９】
請求項７に記載の手術用縫合セットにおいて、前記各縫合針は所望サイズの縫合針を組み合わせて構成されていることを特徴とする手術用縫合セット。
【考案の詳細な説明】
【技術分野】
【０００１】
本考案は手術用に使用する縫合セット関する。さらに詳しくは、弾機孔又は普通孔で形成された縫合糸挿通孔を有する縫合針及び縫合糸を備える手術用縫合セットに関する。
【背景技術】
【０００２】
一般に縫合針は、針本体の胴部の一端側に針先部を有していると共に胴部の他端側に針元部を有し、針元部に縫合糸の端部を固着（かしめ着）し、或いは縫合糸を挿通孔に挿通して使用される。
【０００３】
従来より前記縫合針として、針元部に針本体の軸方向へ向けて縫合糸取付用の糸取付穴を設けた縫合針と、針元部に針本体の軸線と直交させて縫合糸を挿通する縫合糸挿通孔を設けた縫合針等がある。また、後者の縫合糸挿通孔を設けた縫合針としては、前記挿通孔を普通孔（ナミ孔ともいう）で形成した縫合針（以下、この縫合針を普通孔縫合針と言う場合がある。）と前記挿通孔を弾機孔（弾機穴、或いはバネ孔とも称されている）で形成した縫合針（以下、この縫合針を弾機孔縫合針と言う場合がある。）がある。
【０００４】
普通孔縫合針の普通孔は、一般に針元部に針本体の軸線と直交する方向へ向けて針元部を貫通して形成した縫合糸挿通用の糸通し孔を備えて構成されている。また、弾機孔縫合針の弾機孔は、一般に縫合糸を挿通する糸孔と、この糸孔に連通して針元部の基端側へ開放した糸入口と、前記糸孔の両側に対向して形成したバネ作用（バネ効果）を有する一対の孔柱とを備えて構成されている。前記弾機孔は、両孔柱をバネ作用により弾性的に変形して糸入口を開閉させるように構成されている。
【０００５】
上述した針元部に針本体の軸方向へ向けて縫合糸取付用の糸取付穴を設けた縫合針は、一般に前記糸取付穴に縫合糸の端部を挿入し、かしめ着等で糸を針に固着して糸付縫合針（針付縫合糸とも言う）として構成され、使用される。
一方、普通孔縫合針及び弾機孔縫合針は、一般に所要時に縫合糸挿通孔に縫合糸を挿通して使用される。前記両縫合針（糸付縫合針も同様）及び縫合糸は滅菌処理した状態で使用される。
【０００６】
従来、糸付縫合針（針付縫合糸）においては、例えば、長方形の台紙の両側部に左右対称に形成した１対の係止片を設け、この両係止片間に針付縫合糸の糸を巻き付けて保持させた後、これを包装体（包装袋）に収容して密封して包装すると共に滅菌処理したものが提案されている。また、台紙を三つ折り可能に形成して３つのパネルを連接して設け、針付縫合糸の糸部分をコイル状に巻回して１つのパネル上に載置し、他の２つのパネルで前記１つのパネルの両方の面を被覆して垉持させ、これを包装袋に収容して密封パックすると共に滅菌処理したものも提案されている（例えば、特許文献１参照）。特許文献１に記載の技術によれば、所要時に包装袋を開封して針付縫合糸（糸付縫合針）を取り出すことにより、そのまま手術を実施することができる。
【０００７】
一方、弾機孔縫合針及び普通孔縫合針の場合は、縫合針と縫合糸とをそれぞれ別のパッケージ（包装袋等）で密封して包装し、滅菌処理されている（例えば、特許文献２〜６参照）。
【０００８】
特許文献２及び３に記載の縫合針及び特許文献４〜６に記載の縫合糸は、所要時にパッケージを開封して縫合針及び縫合糸を取り出し、縫合糸を縫合針の挿通孔に挿通して使用するものである。したがって、糸を挿通孔に挿通する作業に手間が掛ると共に、上記作業中に針や糸に雑菌等が付着する恐れも有している。また、縫合針と縫合糸のサイズ等を確認する手間が掛る問題も有している。
【先行技術文献】
【特許文献】
【０００９】
【特許文献１】実用新案登録第２５１２６４０号公報
【特許文献２】実用新案登録第２５００４９３号公報
【特許文献３】実公昭５５−４９７６４号公報
【特許文献４】特公平０５−１０１００号公報
【特許文献５】特開平０７−４０１号公報
【特許文献６】実公昭４７−３７４１８号公報
【考案の概要】
【考案が解決しようとする課題】
【００１０】
本考案は上記のような実情に鑑み、上述した問題点を解消し、包装体を開封し、持針器で縫合針の針元部を挟持して引き出すことにより、そのまま手術を実施することができる手術用縫合セットを提供することを目的とするものである。
【課題を解決するための手段】
【００１１】
上記目的を達成するため、本考案のうち、１つの考案（第１の考案）は、手術用縫合セットであって、針本体の胴部の一端側に形成された針先部と、前記胴部の他端側に形成された針元部とを有し、前記針元部に弾機孔で形成された縫合糸挿通孔を有する縫合針と、
前記縫合糸挿通孔に挿通して設けた所望長さの縫合糸と、
略四角形の台紙で形成され、一側縁部近に沿わせて前記縫合糸を巻き付ける糸巻き付け部を有する保持用の第１のパネルと、このパネルの他側縁に沿って折り曲げ可能に連接され、前記パネルの一方の面側に折り畳んで前記パネルの前記一方の面の所望の部位を被覆する被覆用の第２のパネルとを有する保持用台紙と、
袋状に形成されて前記保持用台紙を包装する包装体とを備え、
前記縫合針は、前記針元部側を前記第１のパネルの前記一方の面における前記糸巻き付け部側の近くの部位に位置させると共に前記針先部側を前記一方の面の前記他側縁方向側の部位に位置させて前記縫合針を前記第１のパネルを貫通させて前記胴部の所望の部位を前記第１のパネルの他方の面に表出して前記第１のパネルで保持され、
前記縫合糸は前記糸巻き付け部に巻き付けて前記第１のパネルで保持され、
前記縫合針及び縫合糸を前記第１のパネルで保持させた前記保持用台紙は、前記第２のパネルを前記第１のパネルの前記一方の面側に折り畳まれて前記包装体内に収容され、密封して包装されていると共に滅菌処理されていることを特徴とする。
【００１２】
本考案のうち、他の１つの考案（第２の考案）は、第１の考案の手術用縫合セットにおいて、弾機孔で形成された縫合糸挿通孔を有する縫合針に代え、前記針元部に普通孔で形成された縫合糸挿通孔を有する縫合針を採用したことを特徴とするものである。他の構成は第１の考案と同一である。
【００１３】
本考案において、前記縫合針は、弾機孔縫合針又は普通孔縫合針であれば、その種類や形状等に関係なく、手術用に使用される全ての縫合針を含む。
例えば、一例として次のような縫合針を挙げることができる。針先部がテーパ部で形成された丸針。針先部の先端が鈍点で形成された鈍針。針先部の先端に刺入尖端を備えた縫合針。針先部にバフ研磨、電解研磨、或いは化学研磨によって仕上げした先端部を備えた縫合針。針先部に角錐により形成した先端部を備えた縫合針。針先部の刃部が切刃を有する三角形その他の多角形断面に形成された角針。
【００１４】
また、針の外観の形状としては、例えば、一例として次のようなタイプの縫合針を挙げることができる。弯曲針や直針。針本体の全長の約半分（針先部側）のみを弯曲した縫合針（先曲針）。ジモン氏や兎唇用縫合針のようにフック状に弯曲した縫合針。
【００１５】
さらにまた、本考案においては、前記縫合針の所望部における表面にシリコンをコーティングする構成を採用することもできる。
【００１６】
本考案のうち、他の１つの考案（第３の考案）は、第１又は第２の考案の手術用縫合セットにおいて、前記第１のパネルは、前記糸巻き付け部の上縁又は下縁に設けた縫合糸係合用の切欠き凹部を有していることを特徴とする。
【００１７】
本考案のさらに他の１つの考案（第４の考案）は、第１又は第２の考案の手術用縫合セットにおいて、前記第１のパネルは、前記糸巻き付け部の上縁及び下縁の両方に設けた糸係合用の切欠き凹部を有していることを特徴とする。
【００１８】
本考案のさらに他の１つの考案（第５の考案）は、第１又は第２の考案の手術用縫合セットにおいて、前記第２のパネルは、前記第１のパネルの前記一方の面の前記他側縁から前記糸巻き付け部の近くまでの部位を被覆させる大きさに形成されていること特徴とする。
【００１９】
本考案のさらに他の１つの考案（第６の考案）は、第１の考案の手術用縫合セットにおいて、１本の前記縫合針と、この縫合針の縫合糸挿通孔に挿通して設けた１本の前記縫合糸とを備え、前記縫合針は前記第１のパネルの前記一方の面の略中央部に位置させて前記第１のパネルで保持されていること特徴とする。
【００２０】
本考案のさらに他の１つの考案（第７の考案）は、第１又は第２の考案の手術用縫合セットにおいて、複数本の前記縫合針と、前記縫合針と同数本の前記縫合糸とを備え、前記各縫合糸は前記各縫合針の縫合糸挿通孔にそれぞれ１本づつ挿通して設けられ、前記各縫合針は前記第１のパネルの前記一方の面に、前記第１のパネルの上下方向に所望の間隔を存して並べて前記第１のパネルで保持されていると共に前記各縫合糸は前記糸巻き付け部に巻き付けて前記第１のパネルで保持されていること特徴とする。
【００２１】
本考案のさらに他の１つの考案（第８の考案）は、第７の考案の手術用縫合セットにおいて、前記各縫合針は同一サイズの縫合針で構成されていること特徴とする。
【００２２】
本考案のさらに他の１つの考案（第９の考案）は、第７の考案の手術用縫合セットにおいて、前記各縫合針は所望サイズの縫合針を組み合わせて構成されていること特徴とする。
【考案の効果】
【００２３】
本考案によれば、次のような作用効果を奏する。
（１）包装体を開封して保持用台紙を包装体から取り出し、持針器で縫合針の針元部を持針器で挟持して保持用台紙から引き出すことにより、そのまま手術を実施することができる。
（２）上述した従来技術のように、包装体を開封後に縫合糸を縫合糸挿通孔に挿通する手間を省くことができると共に糸の挿通作業中に針や糸に雑菌等が付着する問題も解消できる。
（３）縫合針と縫合糸のサイズ等を確認する必要は無くなる。
（４）保管中や輸送中においても、縫合針及び縫合糸を整然と保持して滅菌状態を維持することができる。
（５）縫合針及び縫合糸の引き出し作業ないし取り出し作業が簡単かつ円滑良好に行なえる。
【図面の簡単な説明】
【００２４】
【図１】本考案の手術用縫合セットの一実施形態を示す図であって、同図（ａ）は前記縫合セットの全体構成を概略的に示す正面図、同図（ｂ）は縫合針及び縫合糸を第１パネルに保持させて、第２のパネルを折り畳んだ状態の保持用台紙の構成を概略的に示す正面図、同図（ｃ）は同じく背面図、同図（ｄ）は縫合糸を縫合針の縫合糸挿通孔へ挿通した状態の構成を概略的に示す説明図である。
【図２】前記保持用台紙を展開し、その構成を概略的に示す一方の面側から見た平面図である。
【図３】前記保持用台紙の第１のパネルに縫合針及び縫合糸を保持させて、第２のパネルを折り畳む前の状態の構成を概略的に示す一方の面側から見た説明図である。
【図４】図４（ａ）は前記縫合針を拡大し、その構成を概略的に示す斜視図、同図（ｂ）は同図（ａ）のＡ−Ａ線拡大断面図、同図（ｃ）は前記縫合針の針元部側を拡大し、その構成を概略的に示す説明図である。
【図５】前記保持用台紙を包装体で包装する工程を概略的に示す説明図であって、同図（ａ）は前記包装体の構成材を示す説明図、同図（ｂ）は前記構成材で袋状に形成された包装体を示す説明図、同図（ｃ）は前記包装体内に前記保持用台紙を収容した状態を示す説明図、同図（ｄ）は前記包装体を密封した状態の構成を概略的に示す説明図である。
【図６】前記包装体を開封する状態を示す説明図である。
【図７】本考案の手術用縫合セットの他の実施形態を示す図であって、前記保持用台紙の第１のパネルに複数本の縫合針及び縫合糸を保持させて、第２のパネルを折り畳む前の状態の構成を概略的に示す一方の面から見た説明図である。
【図８】本考案の手術用縫合セットに採用される他の種類の縫合針を示す図であって、同図（ａ）は前記縫合針の構成を概略的に示す斜視図、同図（ｂ）は同図（ａ）のＢ−Ｂ線拡大断面図である。
【図９】本考案の手術用縫合セットに採用されるさらに他の種類の縫合針を示す図であって、同図（ａ）は前記縫合針の針元部の部分の構成を概略的に示す平面図、同図（ｂ）は同図（ａ）のＣ−Ｃ線断面図、同図（ｃ）は同図（ａ）のＤ−Ｄ線断面図である。
【考案を実施するための形態】
【００２５】
以下、図面を参照して本考案の実施形態の一例について説明する。
【００２６】
図１ないし図６は本考案の一実施形態（実施形態１）を示す。これらの図１ないし図６に示すように、実施形態１の手術用縫合セットは、縫合針１と、縫合糸３と、保持用台紙４と、保持用台紙を包装する包装体５とを備える。
【００２７】
実施形態１の縫合針１は、図４に最も詳細に示すように、針本体１０の胴部１１の一端側に形成された針先部１２と、胴部１１の他端側に形成された針元部１３とを備えている。実施形態１の縫合針１は針先部１２の刃部１４を三角形断面に形成された角針で構成されている。この場合、針先部１２の刃部１４を三角形以外の多角形断面に形成できること勿論である。
【００２８】
針本体１０は、その素材として、例えばオーステナイト系ステンレス（例えばＳＵＳ３０４）その他のステンレス鋼等の丸棒状の針材を採用できる。針本体１０の太さ（主に胴部１１の径）及び長さ（針本体１０を直線上に伸展した状態における一端から他端までの寸法）は、縫合する部位、用途、目的等に応じて任意に設定される。
【００２９】
実施形態１の縫合針１は、針本体１０を全体的に円弧状に弯曲した弯曲針で構成されている。この場合、縫合針１は直針，先曲針、或いはフック状に弯曲した針等で構成できること勿論である。また、針本体１０の胴部１１の断面形状は円形状，長円形状（楕円形状）、或いは鼓形状等、任意の形状に形成することができる。これらの点については、後述する各実施形態の縫合針においても同様である。
【００３０】
針先部１２は、先端部側に刃部１４を備える。刃部１４は各面（三つの面）が先端に向けて徐々に幅が狭くなり、先端１５で交わっている。刃部１４は図４（ｂ）に示すように、三つの稜線１５ａ，１５ｂ，１５ｃのうち、任意の稜線（実施形態１では稜線１５ｂ及び１５ｃ）に切刃１６，１６を有している。
【００３１】
針本体１０の針元部１３は略扁平状に形成され、弾機孔（弾機穴、或いはバネ孔とも称される）で形成された縫合糸挿通孔２０を有している。前記挿通孔２０を形成する弾機孔は、縫合糸３を挿通する糸孔２１と、この糸孔２１に連通して針元部１３の基端側へ開放した糸入口２２と、糸孔２１の両側に対向させて形成したバネ作用（バネ効果）を有する一対の孔柱２３ａ，２３ｂを備える。実施形態１の糸入口２２は略Ｖ字状等に切欠して開放され、この切欠部で糸導入用のガイド部２４が構成されている。
【００３２】
実施形態１の縫合針１は上記のように構成され、縫合糸３をガイド部２４から糸孔２１側へ付勢すると、孔柱２３ａ，２３ｂはバネ作用により弾性的に変形して糸入口２２が拡開し、縫合糸３を糸孔２１内へ挿通することができると共に縫合糸３が糸孔２１に挿通されると、両孔柱２３ａ，２３ｂがバネ作用により元の姿勢に復帰する。したがって、糸孔２１に挿通した糸３は糸孔２１から抜け出ることはない。
【００３３】
前記縫合糸３は、所望の径（太さ）及び長さに形成したものを採用する。糸３の径及び長さは、縫合針のサイズや縫合する部位等に応じて適当に設定する。例えば、一例として、直径（太さ）約０．０６〜約１．０ミリ、長さ約２０ｃｍ〜約５０ｃｍ程度のものを採用できる。但し、上記範囲内に限定されるものでないこと勿論である。縫合糸３の素材は特に限定するものではなく、一般的に使用されているものから任意に選択して採用できる。例えば、ナイロン糸，テトロン糸，シルク糸、或いはシルクブレードやテトロンブレード等を採用できる。但し、上記に限定するものではない。縫合糸３の色としては、白，黒，青、或いは紫その他の任意の着色糸を採用できる。縫合針３は所望の部位、例えば糸３の長さの約１／５〜約１／３の部位を前記挿通孔２０（糸孔２１）に挿通して設ける。
【００３４】
前記保持用台紙４は、縫合針１及び縫合糸３を整然と保持させるものである。前記台紙４は、略四角形の台紙４０で形成され、一側縁部近くに沿わせて縫合糸３を巻き付ける糸巻き付け部４１（図２等参照）を有する保持用の第１のパネル４２と、このパネル４２の他側縁に沿って折り曲げ可能に連接され、第１のパネル４２の一方の面４３ａ側に折り畳んで前記面４３ａの所望の部位を被覆する被覆用の第２のパネル４４とを有している。
【００３５】
実施形態１の第１のパネル４２及び第２のパネル４４は、台紙４０の所定部に折り線４５を施し、前記折り線を境として、台紙４０の一半部側（図２において右半部側）で第１のパネル４２を、また、他半部側（図２において左半部側）で第２のパネル４４を形成した例が開示されている。また、糸巻き付け部４１は、第１のパネルの一側縁部近く（図２において、右側縁部近く）で構成されている。
【００３６】
実施形態１の、第２のパネル４４は、第１のパネルの一方の面４３ａの他側縁から糸巻き付け部４１の近くまでの部位を被覆する大きさに形成されている。この場合、第２のパネル４４の大きさは、折り線４５の位置を変えることにより、任意に調整することができる。
【００３７】
実施形態１の保持用台紙４は、第１のパネル４２の糸巻き付け部４１の上縁又は下縁（図示では上縁）に設けた糸係合用の切欠き凹部４６を有している。前記凹部４６は第１のパネル４２の糸巻き付け部４１の上縁を略Ｕ字状，略半円形状、或いは略Ｖ字状（図示では略半円形状）に切欠きすることにより形成する。この場合において、前記凹部４６は、図２に仮想線で示すように、第１のパネル４２の糸巻き付け部４１の下縁側に形成してもよい。また、前記部位の上縁及び下縁の両方に設ける構成を採用してもよい。
【００３８】
保持用台紙４を形成する台紙４０の大きさは、採用する縫合針１のサイズ等に応じて適当に設定する。例えば、横幅約７ｃｍ〜約１２ｃｍ、縦幅約５ｃｍ〜約１０ｃｍ程度の長方形の台紙を採用できる。但し、上記範囲内の大きさに限定するものではない。
【００３９】
前記台紙４０の素材は特に限定するものではなく、任意の素材を採用できるものであるが、縫合針１が刺入（挿通）し得る素材を選択することが好ましい。例えば任意の材質の繊維等で構成した不織布等を採用することができる。
実施形態１では、台紙４０として、セルロース，レーヨン繊維，ポリエステル繊維，ポリプロピレン，変性スチレン・ブタジエン重合体，メタクリル酸メチル・ブタジエン共重合体、及び蛍光増白剤等を主成分として構成した三菱製紙株式会社製のシート状の不織布（製品名：ＭＢＳテック、登録商標）を採用している。
【００４０】
前記縫合針１及び縫合糸３は、前記糸３の所望の部位を針元部１３の前記挿通孔２０の糸孔２１へ挿通した状態で第１のパネル４２に保持させる。具体的には、縫合針１は、針元部１３側を第１のパネルの一方の面４３ａにおける糸巻き付け部４１側の近くの部位に位置させると共に針先部１２側を前記面４３ａの他側縁方向側の部位に位置させて、縫合針を第１のパネル４２を貫通させて胴部１１の所望の部位を第１のパネルの他方の面４３ｂ（図１（ｃ）参照）に表出して第１のパネルに保持させる。これにより、縫合針は整然かつ安定して第１のパネルで保持される。
【００４１】
実施形態１では、上述したように、針本体１０の胴部１１の略中央部を第１のパネルの前記他方の面４３ｂに表出して縫合針１を第１のパネル４２に保持させてある。また、縫合糸３は前記凹部４６に係合させながら糸巻き付け部４１に巻き付けて第１のパネルで保持させてある。これにより、前記糸３は整然かつ安定して第１のパネルで保持される。
【００４２】
実施形態１においては、第１のパネル４２に１本の縫合針１と１本の縫合糸３を保持させた例が開示されている。また、前記針１は第１のパネルの一方の面の略中央部に位置させて配置して第１のパネルで保持させてある。縫合針１は、例えば、次のような方法により第１のパネルに保持させることができる。
即ち、第１のパネルの一方の面側を表面側に向けて第１のパネルの所望の部位を二つ折り（山折り）し、この状態で針１の先端を第１のパネルの所望の部位に突き刺して第１のパネルを貫通させた後、第１のパネルの山折りを解除して元の状態にする。これにより、胴部１１の所望の部位は第１のパネルの他方の面に表出されて縫合針１は第１のパネルで保持される。
【００４３】
縫合針１及び縫合糸３を上記のように、第１のパネル４２で保持させた保持用台紙４は、第２のパネル４４を第１のパネルの一方の面４３ａ側に折り畳まれ、包装体５内に収容され、密封して包装されると共に滅菌処理される。
【００４４】
包装体５は前記のように折り畳んだ保持用台紙４を収容し得る大きさに形成される。実施形態１の包装体５は、図５に詳細に示すように、二枚のパネル５０，５１で構成されている。パネル５０，５１の素材は特に限定するものではないが、実施形態１の一方のパネル５０は、ポリエステルその他のプラスチックフィルムで構成されている。また、実施形態１では、一方のパネル５０として、透明又は半透明性のプラスチックフィルムを採用している。
前記他方のパネル５１は、合成繊維製の不織布を採用できる。実施形態１では、ポリエチレンの極細連続長繊維で製造されたデュポン社製の不織布（商品名：タイベック、登録商標）を採用している。なお、上記素材は一例として挙げたもので、上記に限定するものではない。
【００４５】
包装体５は、前記二枚のパネル５０，５１で袋状に形成される。実施形態１では、図５（ａ）に示すように、両パネル５０，５１を重合し、図５（ｂ）に示すように、重合パネルの両側縁及び上縁部近くをヒートシール５２ａ，５２ｂ，５２ｃ（熱溶着）し、一端を開口５３した袋状体５ａを形成する。
【００４６】
保持用台紙４は、前記のように第２のパネル４４を第１のパネル４２の一方の面側に折り畳んだ状態で、図５（ｃ）に示すように、開口５３部から袋状体５ａ（包装体５）内に収容し、図５（ｄ）及び図１（ａ）に示すように、開口５３端部側をヒートシール５２ｄ（熱溶着）して密封されて包装する。次いで上記のように密封して包装した保持用台紙４（台紙４には縫合針１及び縫合糸３が保持されている）をガス滅菌等により滅菌処理して手術用縫合セットが構成されている。そして、上記の状態で保管される。
【００４７】
実施形態１の手術用縫合セットは上記のように構成され、図６に示すように、所要時に包装体５の一方のパネル５０を一方の手６の指で掴むと共に他方のパネル５１を他方の手７の指で掴み、一方のパネル５０を引っ張って開封する。そして、保持用台紙４を包装体５から取り出し、縫合針１の針元部１３を持針器（図示せず）で挟持して保持用台紙４から引き出し、手術を実施する。この実施形態１の手術用縫合セットによれば、上述した考案の効果の項に記載した前記（１）〜（５）の作用効果を奏する。
【００４８】
図７は本考案の他の本実施形態（実施形態２）の手術用縫合セットを示す説明図である。なお、実施形態２において、実施形態１で既に説明した構成と共通する構成部等には同一符号を付して説明を省略する。この点については、後述する各実施形態においても同様である。実施形態２は、複数本の縫合針１と複数本の縫合糸３を保持用台紙４に保持させた構成に特徴がある。
【００４９】
図７に示すように、実施形態２では、２本の縫合針１と、２本の縫合糸３を備える。各縫合糸３は各縫合針１の縫合糸挿通孔２０の糸孔２１にそれぞれ１本づつ挿通して設けられている。両縫合針１は保持用台紙４の第１のパネル４２の一方の面４３ａにパネル４２の上下方向に所望の適当な間隔を存して並べて第１のパネル４２で保持させてあると共に両縫合糸３は糸巻き付け部４１に巻き付けて第１のパネル４２で保持させてある。縫合針１は実施形態１と同様の方法により第１のパネル４２に保持される。他の構成は実施形態１と同様である。
【００５０】
実施形態２の手術用縫合セットは上記のように構成され、実施形態１と同様に使用される。これにより、実施形態１と同様の作用効果を奏する。
【００５１】
なお、実施形態２では、２本の縫合針１と２本の縫合糸３を保持用台紙４に保持させた例を開示したが、縫合針１及び縫合糸３の本数は任意に増量（但し、針１と糸３の本数は同数）できるものである。また、実施形態２では、２本の縫合針を同一サイズの縫合針で構成した例を開示したが、両縫合針（２本以上の縫合針の場合も同様）は異なる所望のサイズの縫合針を組み合わせた構成を採用することもできる。これらの点については後述する各実施形態においても同様である。
【００５２】
図８は本考案の手術用縫合セットのさらに他の実施形態（実施形態３）を示す。実施形態３は手術用縫合セットに採用される縫合針の種類の構成に特徴がある。
【００５３】
実施形態３の手術用縫合セットに採用された縫合針１Ａは丸針で構成されている。図８に示すように、縫合針１Ａの針先部１２Ａは、先端側方向に次第に先細（直径又は断面積が縮小）になるテーパ部で構成され、テーパ部の先端１５Ａは尖鋭に形成した刺入尖端で構成されている。なお、鈍針の場合には、テーパ部の先端を尖鋭に形成しないで鈍点状に形成する。他の構成は実施形態１と同様である。
【００５４】
実施形態３の手術用縫合セットは上記のように構成され、実施形態１と同様に使用される。これにより、実施形態１と同様の作用効果を奏する。
【００５５】
図９は本考案の手術用縫合セットのさらに他の実施形態（実施の形態４）を示す。実施形態４手術用縫合セットに採用される縫合針の構成に特徴がある。
【００５６】
実施形態４の手術用縫合セットに採用された縫合針１Ｂは、実施形態１の手術用縫合セットにおいて、弾機孔で形成された縫合糸挿通孔２０に代え、針元部１３に普通孔で形成した縫合糸挿通孔２０Ａを有する縫合針１Ｂを採用したものである。図９に示すように、縫合針１Ｂの針元部１３には、針本体１０の軸線と直交する方向に向けて針元部１３を貫通して形成した縫合糸挿通用の糸通し孔２１Ａを設け、この糸通し孔２１Ａで縫合糸挿通孔２０Ａが形成されている。前記挿通孔２０Ａは公知の普通孔と同一構成である。図９において、２２Ａは糸入れ溝を示す。他の構成は実施形態１と同様である。
【００５７】
実施形態４の手術用縫合セットは上記のように構成され、実施形態１と同様に使用される。これにより、実施形態１と同様の作用効果を奏する。
【００５８】
なお、上記した各実施形態の手術用縫合セットは一例として開示したもので、本考案は上記の実施形態に限定されるものではなく、実用新案登録請求の範囲に記載の技術思想を越脱しない範囲において任意に変更可能なものである。
【符号の説明】
【００５９】
１      縫合針
３      縫合糸
４      保持用台紙
５      包装体
１０    針本体
１１    胴部
１２    針先部
１３    針元部
２０    縫合糸挿通孔
４１    糸巻き付け部
４２    第１のパネル
４３ａ  一方の面
４３ｂ  他方の面
４４    第２のパネル
【図１】
0003158465.tif 000003
【図２】
0003158465.tif 000004
【図３】
0003158465.tif 000005
【図４】
0003158465.tif 000006
【図５】
0003158465.tif 000007
【図６】
0003158465.tif 000008
【図７】
0003158465.tif 000009
【図８】
0003158465.tif 000010
【図９】
0003158465.tif 000011